(57)【要約】【課題】バックライトの反射板及び拡散板との密着を抑制し、反射板と拡散板との熱膨張率が異なる場合に発生する軋み音を低減することができるバックライト装置及び表示装置を提供する。【解決手段】バックライトシャーシ１の内部に設けてある支持台１１の支持部１１ｂに、正面方向に突起した突起部１１ｄを設け、前記支持部１１ｂに支持される反射板２の鍔部２ｃに貫通孔２ｄを開設して、前記突起部１１ｄを前記貫通孔２ｄに挿通し、突起部１１ｄを前記反射板２に対向して設けてある拡散板３に接触させる構成とした。【選択図】図１
2008204818.tif 000002
【特許請求の範囲】
【請求項１】
バックライトを収容してある筐体及び該筐体の内部に設けてある支持台を備えるバックライトシャーシと、前記支持台にて支持されており、光を反射する反射板と、該反射板に対向して設けてあり、光を拡散する拡散板とを備えるバックライト装置において、
前記支持台の前記反射板を支持している部分に突起部が設けてあり、該突起部を挿入する貫通部が前記反射板に設けてあって、前記突起部を前記貫通部に挿入して前記拡散板に接触させてあることを特徴とするバックライト装置。
【請求項２】
前記貫通部は孔であることを特徴とする請求項１に記載のバックライト装置。
【請求項３】
前記貫通部は切欠であることを特徴とする請求項１に記載のバックライト装置。
【請求項４】
表示部と、該表示部の背面側に設けてある請求項１乃至３のいずれか一つに記載のバックライト装置とを備える表示装置。
【発明の詳細な説明】
【技術分野】
【０００１】
本発明は、バックライトが点灯するか又は消灯したときに発生する軋み音を低減するバックライト装置及び表示装置に関する。
【背景技術】
【０００２】
従来の液晶表示装置に使用されているバックライト装置にあっては、バックライトを収容してある筐体と、該筐体の内部に設けてある保持枠と、該保持枠に保持してあり、バックライトの光を反射する反射板と、該反射板に対向させて設けてあり、バックライトの光を拡散する拡散板とを備える。前記反射板は前記拡散板に向けて立ち上がった側面部と、該側面部に連なる鍔部とを備えており、該鍔部と前記拡散板とが互いに密着している（特許文献１参照）。
【０００３】
特許文献１に記載の液晶表示装置にあっては、前記拡散板及び反射板は互いに密着しており、液晶表示装置の組立を行っている途中に両者が離れて、組立作業が中断し、組立効率が低下することを防いでいた。
【特許文献１】特開２００４−５５１８２号公報
【発明の開示】
【発明が解決しようとする課題】
【０００４】
特許文献１に記載の液晶表示装置では、筐体に収容されるバックライトの光源として、冷陰極管が使用されている。冷陰極管が点灯したときには、該冷陰極管の近傍に位置する反射板及び拡散板は、冷陰極管が発する熱を吸収し、冷陰極管が消灯したときには熱を放出するので、前記冷陰極管が点灯するか又は消灯した場合には、反射板及び拡散板は熱変化により伸縮する。
【０００５】
反射板及び拡散板の材質が異なる場合には、両者の熱膨張率も異なり、両者の伸縮に差が生じる。伸縮に差が生じたときには両者の間で摩擦が生じて、軋み音が発生し、両者は互いに密着していることから、軋み音は無視できない大きさになるという問題点があった。
【０００６】
本発明は斯かる事情に鑑みてなされたものであり、反射板を支持する支持台に突起部を設け、該突起部を挿入する貫通部を前記反射板に設けることにより、該突起部が貫通部を通って、反射板に対向する拡散板に接触し、反射板と拡散板との密着を抑制し軋み音を低減することができるバックライト装置を提供することを目的とする。
【０００７】
また本発明は、前記貫通部としての孔を開設することにより、前記突起部を前記孔に挿通して、突起部を前記拡散板に接触させ、反射板と拡散板との密着を抑制して軋み音を低減することができるバックライト装置を提供することを目的とする。
【０００８】
また本発明は、前記貫通部としての切欠を設けることにより、前記突起部を前記切欠に挿通して、突起部を前記拡散板に接触させ、反射板と拡散板との密着を抑制して軋み音を低減することができるバックライト装置を提供することを目的とする。
【０００９】
また本発明は、前記バックライト装置のいずれかを表示部の背面側に設けることにより、軋み音を低減することができる表示装置を提供することを目的とする。
【課題を解決するための手段】
【００１０】
本発明に係るバックライト装置は、バックライトを収容してある筐体及び該筐体の内部に設けてある支持台を備えるバックライトシャーシと、前記支持台にて支持されており、光を反射する反射板と、該反射板に対向して設けてあり、光を拡散する拡散板とを備えるバックライト装置において、前記支持台の前記反射板を支持している部分に突起部が設けてあり、該突起部を挿入する貫通部が前記反射板に設けてあって、前記突起部を前記貫通部に挿入して前記拡散板に接触させてあることを特徴とする。
【００１１】
本発明にあっては、反射板を支持する支持台に突起部を設け、該突起部を挿入する貫通部を前記反射板に設けることにより、該突起部が貫通部を通って、反射板に対向する拡散板に接触し、反射板と拡散板との密着を抑制する。
【００１２】
また本発明に係るバックライト装置は、前記貫通部は孔であることを特徴とする。
【００１３】
本発明にあっては、前記貫通部として孔を開設することにより、前記突起部を該孔に挿通して、突起部を前記拡散板に接触させ、反射板と拡散板との密着を抑制する。
【００１４】
また本発明に係るバックライト装置は、前記貫通部は切欠であることを特徴とする。
【００１５】
本発明にあっては、前記貫通部として切欠を設けることにより、前記突起部を該切欠に挿通して、突起部を前記拡散板に接触させ、反射板と拡散板との密着を抑制する。
【００１６】
また本発明に係る表示装置は、表示部と、該表示部の背面側に設けてある前述のバックライト装置とを備えることを特徴とする。
【００１７】
本発明にあっては、前記バックライト装置のいずれかを表示部の背面側に設けることにより、バックライト装置の反射板と拡散板との密着は抑制してあり、バックライトが点灯するか又は消灯したときに発生する軋み音が低減される。
【発明の効果】
【００１８】
本発明に係るバックライト装置においては、反射板を支持する支持台に突起部を設け、該突起部を挿入する貫通部を前記反射板に設けることにより、該突起部が貫通部を通って、反射板に対向する拡散板に接触し、反射板と拡散板との密着を抑制し、反射板と拡散板との摩擦により生じる軋み音を低減することができる。
【００１９】
また本発明に係るバックライト装置においては、前記貫通部として孔を開設することにより、前記突起部を該孔に挿通して、突起部を前記拡散板に接触させ、反射板と拡散板との密着を抑制し、反射板と拡散板との摩擦により生じる軋み音を低減することができる。
【００２０】
また本発明に係るバックライト装置においては、前記貫通部として切欠を設けることにより、前記突起部を前記切欠に挿通して、突起部を前記拡散板に接触させ、反射板と拡散板との密着を抑制し、反射板と拡散板との摩擦により生じる軋み音を低減することができる。
【００２１】
また本発明に係る表示装置においては、前記バックライト装置のいずれかを表示部の背面側に設けることにより、バックライト装置の反射板と拡散板との密着は抑制してあり、バックライトが点灯するか又は消灯したときに発生する軋み音を低減し、軋み音による不快感を緩和することができる。
【発明を実施するための最良の形態】
【００２２】
（実施の形態１）
以下本発明に係るバックライト装置及び表示装置を実施の形態１を示す図面に基づいて詳述する。図１は実施の形態１に係るバックライト装置及び表示装置の断面図、図２は支持台の正面図、図３は反射板の正面図である。
【００２３】
図において１は、バックライト装置及び表示装置のバックライトシャーシであり、該バックライトシャーシ１は、バックライトの光源である冷陰極管３１、３１、・・・を収容してある矩形の筐体１０と、該筐体１０の内部にて、筐体１０の側面部に沿って設けてあり、後述する反射板２、拡散板３、光学シート４、５及び液晶パネル６を支持する枠状の支持台１１とを有する。
【００２４】
該支持台１１は、前記筐体１０の側面部に沿って、正面寄りに設けてある矩形の枠部１１ａと、該枠部１１ａの長手側面に沿って、該長手側面に対し直角に連なっており、内側に適長延出した板状の支持部１１ｂと、該支持部１１ｂに対し直角に連なっており、該支持部１１ｂと筐体１０の背面部とを隔てている板状のスペーサ部１１ｃとを備えている。前記支持部１１ｂには、正面側に突起した円錐形の突起部１１ｄ、１１ｄ、・・・が長手方向に等配されている。
【００２５】
前記支持台１１には前記冷陰極管３１、３１、・・・の光を反射するための矩形の反射板２が支持されている。該反射板２は、前記支持台１１の中央にて、前記筐体１０の背面部に近接して対向する矩形の底面部２ａと、該底面部２ａの長手縁部に連なっており、前記スペーサ部１１ｃと略同じ高さに立ち上がった側面部２ｂと、該側面部２ｂに連なって外向きに適長延出しており、前記支持部１１ｂに支持されている鍔部２ｃとを備える。該鍔部２ｃには前記突起部１１ｄ、１１ｄ、・・・を挿入する円形の貫通孔２ｄ、２ｄ、・・・が開設してあり、前記突起部１１ｄの先端は該貫通孔２ｄから僅かに突出している。
【００２６】
前記冷陰極管３１、３１、・・・の光を拡散する拡散板３が、前記反射板２の正面に対向して設けてあり、該拡散板３は前記突起部１１ｄに接触している。前記冷陰極管３１は、前記筐体１０に設けてある支持クリップ３０により、前記拡散板３及び反射板２の間にて支持されており、前記バックライトシャーシ１、反射板２、拡散板３、支持クリップ３０及び冷陰極管３１はバックライト装置を構成している。
【００２７】
前記拡散板３の正面には二枚の光学シート４、５及び液晶パネル６が重ねてある。該液晶パネル６の正面周縁に接触させて、ベゼル７が前記筐体１０の正面に取付けられており、前記バックライト装置、光学シート４、５、液晶パネル６及びベゼル７は前記表示装置を構成している。
【００２８】
実施の形態１に係るバックライト装置及び表示装置にあっては、冷陰極管３１は点灯した場合に発熱するので、冷陰極管３１の点灯又は消灯により、拡散板３及び反射板２に熱変化が生じ、拡散板３及び反射板２は伸縮する。両者の熱膨張率が異なる場合には両者の伸縮に差が生じるが、支持台１１に突起部１１ｄを設け、貫通孔２ｄを鍔部２ｃに開設することにより、拡散板３は前記突起部１１ｄに接触し、拡散板３の前記鍔部２ｃとの密着は抑制され、前記拡散板３と前記鍔部２ｃとの摩擦による軋み音を低減することができる。
【００２９】
なお支持台１１は筐体１０と一体に成形されていても良い。また突起部１１ｄの形状は円錐形に限らず、柱形等その他の突起した形状であっても良く、貫通孔２ｄの形状は円形に限らず、四角形等その他の突起部１１ｄを挿入可能な形状であれば良い。
【００３０】
また支持台１１の支持部１１ｂを枠部１１ａの側面全体に連ね、反射板２の側面部２ｂを底面部２ａの全周に連ねて、該側面部２ｂに鍔部２ｃを連ねる構成としても良く、スペーサ部１１ｃは板状に限らず、角材状であっても良い。また光源としてＬＥＤランプを使用しても良い。また表示装置は透過型液晶表示装置、半透過型液晶表示装置のいずれでも良い。なお反射板２、拡散板３及び冷陰極管３０はバックライトを構成している。
【００３１】
（実施の形態２）
以下本発明に係る液晶表示装置を実施の形態２を示す図面に基づいて詳述する。図４は実施の形態２に係るバックライト装置及び表示装置の反射板の正面図である。
【００３２】
液晶表示装置の支持台１１に冷陰極管３１の光を反射するための矩形の反射板２が支持されている。反射板２の鍔部２ｃには突起部１１ｄ、１１ｄ、・・・を挿入する略円形の切欠２０ｄ、２０ｄ、・・・が設けてあり、前記突起部１１ｄの先端は前記切欠２０ｄの中央から僅かに突出している。
【００３３】
実施の形態２に係るバックライト装置及び表示装置にあっては、切欠２０ｄを鍔部２ｃに設けることにより、前記突起部１１ｄを前記切欠２０ｄに挿通して、突起部１１ｄを拡散板３に接触させ、反射板２と拡散板３との密着を抑制し、反射板２と拡散板３との摩擦により生じる軋み音を低減することができる。
【００３４】
実施の形態２に係る液晶表示装置の構成の内、実施の形態１と同様の構成については同じ符号を付し、その詳細な説明を省略する。
【図面の簡単な説明】
【００３５】
【図１】実施の形態１に係るバックライト装置及び表示装置の断面図である。
【図２】実施の形態１に係るバックライト装置及び表示装置の支持台の正面図である。
【図３】実施の形態１に係るバックライト装置及び表示装置の反射板の正面図である。
【図４】実施の形態２に係るバックライト装置及び表示装置の反射板の正面図である。
【符号の説明】
【００３６】
１  バックライトシャーシ
２  反射板
２ａ  底面部
２ｂ  側面部
２ｃ  鍔部
２ｄ  貫通孔
３  拡散板
４、５  光学シート
６  液晶パネル
７  ベゼル
１０  筐体
１１  支持台
１１ａ  枠部
１１ｂ  支持部
１１ｃ  スペーサ部
１１ｄ  突起部
２０ｄ  切欠
３０  支持クリップ
３１  冷陰極管
【図１】
2008204818.tif 000003
【図２】
2008204818.tif 000004
【図３】
2008204818.tif 000005
【図４】
2008204818.tif 000006